(57)【要約】【課題】簡単な構造で、キャップの取り外し時にキャップの回転と共に塗布部がキャップと共に回転するため、塗布液等の乾燥によって塗布部と容器本体との張り付き等による接着を剥がし、使用時には容易に塗布体への液供給ができるシール性、使用性に優れたアイライナー、マスカラ、マニキュア、口紅等の化粧料を収容する液体容器を提供する。【解決手段】化粧料等の液体Ｋを収容した容器本体１０と、該容器本体１０と螺合するキャップ２０と、前記容器本体１０から突出し、かつ、キャップ２０と分離する塗布軸３１を有する塗布部３０とを備え、該塗布部３０の前方には容器本体１０内の液体を含浸する塗布体４０を有する液体容器であって、前記塗布軸３１には、塗布軸３１の外面から径方向に突出する外周部３４を形成し、該外周部３４の後方にはキャップ２０内面に形成されたカム溝２２と係合するカム部３６が形成されていることを特徴とする液体容器Ａ。【選択図】図１
2015006246.tif 000002
【特許請求の範囲】
【請求項１】
液体を収容した容器本体と、該容器本体と螺合するキャップと、前記容器本体から突出し、かつ、キャップと分離する塗布軸を有する塗布部とを備え、該塗布部の前方には容器本体内の液体を含浸する塗布体を有する液体容器であって、前記塗布軸には、塗布軸の外面から径方向に突出する外周部を形成し、該外周部の後方にはキャップ内面に形成されたカム溝と係合するカム部が形成されていることを特徴とする液体容器。
【請求項２】
前記外周部の前方は、傾斜状となるテーパ部が形成され、容器本体に当接してなることを特徴とする請求項１記載の液体容器。
【発明の詳細な説明】
【技術分野】
【０００１】
本発明は、流動性を有するアイライナー、マスカラ、マニキュア、口紅等の化粧料を収容する液体容器に関する。
【背景技術】
【０００２】
従来より、マスカラ等の流動性を有する化粧料を収容する液体容器としては、例えば、
１）  内容液を貯蔵し、かつ、開口部を備えた容器と、容器の開口部からの内容液の揮発を防止するためのキャップと、該キャップ内部に連結された、容器内の内容液を取り出して目的箇所に内容液を塗布するための塗布棒を有する液体塗布容器において、該塗布棒は、該キャップ内部に連結された支持棒と支持棒と連結した毛管力を有する塗布体からなり、支持棒の塗布体との連結部には塗布体後部に空気が流入できる空気流入部を設けたことを特徴とする液体塗布容器（例えば、特許文献１参照）や、
２）  液体を貯える容器の開口部に嵌められるしごき体と、容器内にしごき体を貫通して挿入される塗布軸とを含んでなる液体容器であって、しごき体を、可撓性を有する材料により略筒形に形成し、このしごき体の開口幅を一端部から他端部に向かうにしたがい徐々に狭めるとともに、他端部から最他端部に向かうにしたがい徐々に広げ、しごき体の周壁にはスリットを軸方向に向けて設けたことを特徴とする液体容器（例えば、特許文献２参照）などが知られている。
これらの液体容器は、キャップを外す際、キャップと共に塗布部も液が含まれた状態で容器本体から取り外すことができるものである。
【０００３】
しかしながら、上記特許文献１，２の液体容器では、使用時ではキャップのネジ部が影響して塗布部が容器本体の底に到達しにくくなってしまい、特に、容器本体内の塗布液の残量が少ない場合、塗布部への液供給が容易でないことがある。
【０００４】
そこで、キャップと塗布部とが別体からなるマスカラ塗布装置に好適な液体容器（例えば、特許文献３参照）が知られている。
しかしながら、特許文献３に開示された技術では、長時間、未使用になった場合、塗布液が乾燥し、塗布部と容器本体とが接着してしまい、使用時において、塗布部を取り外すのが困難になってしまうなどの課題があるのが現状であった。
【先行技術文献】
【特許文献】
【０００５】
【特許文献１】特開２００４−５９０３５号公報（特許請求の範囲、図１，図２等）
【特許文献２】特開２００３−３１０３４６号公報（特許請求の範囲、図１，図２等）
【特許文献３】実開昭５２−１５３５６９号公報全文（請求の範囲、図１等）
【発明の概要】
【発明が解決しようとする課題】
【０００６】
本発明は、上記従来技術の課題及び現状に鑑み、これを解消しようとするものであり、使用時において、容易に塗布部を容器本体から取り外すことができ、かつ液供給が容易となる液体容器を提供することを課題とする。
【課題を解決するための手段】
【０００７】
本発明者は、上記従来技術の課題等について鋭意検討した結果、液体を収容した容器本体と、該容器本体と螺合するキャップと、前記容器本体から突出し、かつ、キャップと分離する塗布軸を有する塗布部とを備え、該塗布部の前方には容器本体内の液体を含浸する塗布体を有する液体容器において、前記塗布軸の外面構造とキャップの内面構造とを特定構造とすることにより、上記目的の液体容器が得られることを見出し、本発明を完成するに至ったのである。
【０００８】
すなわち、本発明は、次の（１）及び（２）に存する。
（１）  液体を収容した容器本体と、該容器本体と螺合するキャップと、前記容器本体から突出し、かつ、キャップと分離する塗布軸を有する塗布部とを備え、該塗布部の前方には容器本体内の液体を含浸する塗布体を有する液体容器であって、前記塗布軸には、塗布軸の外面から径方向に突出する外周部を形成し、該外周部の後方にはキャップ内面に形成されたカム溝と係合するカム部が形成されていることを特徴とする液体容器。
（２）  前記外周部の前方は、傾斜状となるテーパ部が形成され、容器本体に当接してなることを特徴とする上記（１）記載の液体容器。
【発明の効果】
【０００９】
本発明によれば、簡単な構造で、キャップの取り外し時にキャップの回転と共にキャップのカム溝に噛み合ったカム部を有する塗布部がキャップと共に回転するため、塗布部と容器本体との接着を剥がし、使用時には容易に塗布体への液供給ができるシール性、使用性に優れた液体容器が提供される。また、外周部前方にテーパ部を形成することで、保管時の塗布部のセンタリングを容易にし、更にシール性に優れた液体容器が提供される。
【図面の簡単な説明】
【００１０】
【図１】（ａ）及び（ｂ）は、本発明に係る液体容器の実施形態の一例を示すものであり、（ａ）はその縦断面図、（ｂ）は、その正面図である。
【図２】（ａ）及び（ｂ）は、図１の形態からキャップを取り外した状態の縦断面図と正面図である。
【図３】（ａ）及び（ｂ）は、塗布軸と塗布体から構成される塗布部の一例を示す縦断面図と正面図である。
【図４】図３の塗布部の斜視図である。
【図５】（ａ）〜（ｅ）は、順次、塗布軸の一例を示す正面図、縦断面図、左側面図、右側面図及び斜視図である。
【図６】（ａ）〜（ｃ）は、順次、キャップの一例を示す縦断面図、右側面図及び斜視図である。
【図７】キャップのカム溝と塗布軸のカム部との係合状態を断面態様で示す部分拡大断面図である。
【発明を実施するための形態】
【００１１】
本発明の実施形態の一例を図面を参照しながら説明する。なお、本明細書中にある前方とは塗布部から見て塗布体側を示し、後方とは塗布軸側を示す。
図１は、本発明に係る液体容器の実施形態の一例を示すものであり、（ａ）はその縦断面図、（ｂ）は、その正面図である。
【００１２】
本実施形態の液体容器Ａは、図１（ａ）及び（ｂ）に示すように、液体として塗布液Ｋを収容した容器本体１０と、該容器本体１０と螺合するキャップ２０と、前記容器本体１０から突出し、かつ、キャップ２０と分離する塗布部３０とを備えている。
【００１３】
容器本体１０は、首部１１を有する有底筒状の透明の小型に形成され、容器本体１０内にネイル、マスカラ等からなる流動性を有する塗布液Ｋを所定量収容されている。
塗布液Ｋは、その粘度の高低を特に限定するものではなく、少なくとも流動性を有する内容液、具体的には、アイライナー、マスカラ、マニキュア、口紅、修正液、染毛剤、各種の接着剤(例えば、歯科用接着剤等)、塗料、薬剤等を含むものであり、本実施形態では流動性を有するマスカラである。
この容器本体１０の上部には細長い円筒の開口部１２を有する首部１１が上方に向けて一体形成され、この首部１１の外周面には、締結用のネジ部１３が周方向に螺刻され、この首部１１のネジ部１３に、キャップ２０内周面のネジ部２１が着脱自在に螺合する。容器本体１０は、透明若しくは半透明又は不透明であり、有底筒状体となっており、その断面を円筒形、楕円形状、多角形形状等とすることができ、本実施形態では、不透明で有底の円筒状体となっている。
【００１４】
本実施形態では、容器本体１０の開口部１２内にしごき体２５が嵌挿されている。このしごき体２５は、可撓性や粘弾性を有する材料により構成され、基本的には略円筒形に成形され、その径(開口幅)が上端部(一端部)付近から下部(他端部)に向かうにしたがい徐々に縮径にされている。このしごき体２５の材料としては、各種のゴム、エラストマーや軟質プラスチック、半硬質プラスチックが挙げられ、より具体的には、シリコーンゴム、ブタジエンゴム（ＢＲ）、アクリロニトリルブタジエンゴム（ＮＢＲ）、ＡＢＳ、ＰＰ、ＰＳ樹脂等が挙げられる。本実施形態では、ＮＢＲ製のしごき体から構成されている。
また、しごき体２５には、その上端部から半径外方向にリング形のフランジ２６が突出しており、このフランジ２６が容器本体１０の首部１１の開口周縁部１２ａに嵌合係止する構造となっている。なお、しごき体２５は、容器本体１０の開口部１２の形状に応じて円筒形、楕円の筒形、多角形の筒形等とすることができる。
【００１５】
塗布部３０は、図１〜図５に示すように、塗布軸３１と塗布体４０とからなり、塗布軸３１の先端部に、内容液付着用の塗布体４０が嵌着されている。具体的には、塗布軸３１の先端側の軸部３２に形成した取付孔３２ａに、塗布体４０の棒状の取付部４１が嵌着等により固着されている。塗布体４０は、本実施形態では、外周面がブラシ形状となった円盤状のブラシ体４２、４２…が所定間隔毎に一体に形成されて塗布体となるものであるが、収容する内容液種、塗布態様等により、筆体、刷毛体、スポンジ体等でも良いものである。
【００１６】
また、この塗布軸３１は、しごき体２５内の下部の径と略同一か、あるいは僅かに拡径に形成され、塗布体４０に付着した内容液をしごき体２５内の下部付近にかき取らせるよう機能する。さらに、塗布軸３１は、中実でも良いし、中空でも良い。
塗布軸３１の軸方向の略中央部には、図３〜図５に示すように、把持部３３から径方向に突出した外周部３４が設けられ、外周部３４の前方には後方に向かって拡径する斜面を有する傾斜状となるテーパ部３５、後方には複数の周方向に斜面状突起を有するカム部３６が形成されている。テーパ部３５は、未使用時において塗布体４０を容器本体１０内に挿入した際に塗布体４０をセンタリングする役割を持ち、キャップ２０で封止した際、容器本体１０と当接する構造となるのでシール性向上に寄与することができる。
【００１７】
キャップ２０は、図６及び図７に示されるように、有底筒状に形成され、容器本体１０の首部１１の外周に形成されたネジ部１３と螺合するネジ部２１がキャップ２０内面に形成されている。また、ネジ部２１後方には円周状に複数の斜面部２２ａ，２２ａ…が形成されたカム溝２２、２２…が形成されている。カム溝２２、２２…には、キャップ２０を容器本体１０に螺合により取り付けた際に、塗布軸３１に形成されたカム部３６，３６と噛み合う斜面部３６ａ，３６ａを有している。
カム部３６の突起数は本実施形態では二箇所であるが、キャップ２０内面に形成されたカム溝２２、２２…と噛み合うこと（係合）ができ、封止できる構造であればそれ以上形成してもよい。
上記塗布軸３１とキャップ２０は、耐衝撃性や力学的性質を有するＡＢＳ、ＰＰ、ＰＳ、ＰＥ樹脂、再生プラスチック、ＥＶＯＨ、ＰＥＴ、ナイロン、ＰＢＴ、ＰＡ、ＰＯＭ樹脂等の材料を用いて成形される。本実施形態では、塗布軸３１とキャップ２０は、ポリプロピレン（ＰＰ）製により成形されている。
【００１８】
このように構成される液体容器Ａは、以下のようにして使用に供される。
まず、容器本体１０からキャップ２０の螺合を解除することによって、図２に示すようにキャップ２０を取り外すことができる。キャップ２０の螺合による回転によって、塗布部３０もキャップ２０と同時に回転する。その際の回転によって塗布液等の乾燥によって容器本体１０と塗布部３０との接着が剥がれて取り外しが容易となる。キャップ２０が容器本体１０から完全に外れた際は、キャップ２０のカム溝２２と塗布部３０のカム部３６との係合が完全に離間しているため、塗布部は回らない。以上により、このような液体容器Ａでは、キャップ２０を回して上方に引き上げ、塗布軸３１を容器本体２０から抜き取り、容器本体１０の塗布液Ｋで濡れた塗布体４０を使用すれば、容易に化粧することができるものとなる。
【００１９】
また、使用時には塗布体４０が容器本体１０内の底部に到達しやすいので、特に、容器本体１０内の塗布液の残量が少ない場合、塗布部への液供給も容易となる。
更に、塗布軸３１の外周部前方にテーパ部３５を形成することで、該テーパ部３５が、未使用時において塗布体４０を容器本体１０内に挿入した際に塗布体４０をセンタリングする役割を持ち、キャップ２０で封止した際のシール性向上にも寄与することができる構造となっている。
【００２０】
本発明の液体容器は、上述の如く、シール性、使用性等に優れる構成となるものであるが、上記実施形態に限定されるものではなく、本発明の技術思想の範囲内で種々変更することができるものである。
上記実施形態において、液体容器は化粧料、特にマスカラ用に好ましく適用することができるが、例えば、塗布体を刷毛タイプとし、塗布液として液状染毛剤を用いれば、毛髪用（毛染め用）の液体容器としても好適に実施することができるものである。
また、上記実施形態において、キャップ２０を容器本体１０に螺合により取り付けや、嵌合により取り付けてもよいものであり、更に、適当な嵌着による取り付け方法などを採用しても良いものである。
【産業上の利用可能性】
【００２１】
本発明の液体容器では、アイライナー、マスカラ、マニキュア、口紅等の化粧料を収容する液体容器などに好適に使用することができる。
【符号の説明】
【００２２】
Ａ  液体容器
１０  容器本体
２０  キャップ
２２  カム溝
３０  塗布部
３１  塗布軸
３４  外周部
３５  テーパ部
３６  カム部
４０  塗布体
【図１】
2015006246.tif 000003
【図２】
2015006246.tif 000004
【図３】
2015006246.tif 000005
【図４】
2015006246.tif 000006
【図５】
2015006246.tif 000007
【図６】
2015006246.tif 000008
【図７】
2015006246.tif 000009